(57)【要約】  本発明は、電子取引システムにより利用されるユーザインタフェースを提供するシステム及び方法に関する。当該インタフェースは、ビッド価格軸とアスク価格軸とを、対応するサイズ及び場内市場の視覚的標識と共に表示するディスプレイを有する。場内市場が市場状態の変化に応じて変動すると、場内市場の表示は、当該場内市場の空間的移動と共に、それに係る代表的価格を表示し、これにより、２つの価格軸を動的な軸にする。ユーザインタフェースは、容易に利用可能であり、直感的かつカスタマイズ可能であり、効率的な電子取引を実現する機能を有し、ユーザに関する取引活動と共に市場全体を表示する。
2008508615.tif 000002
【特許請求の範囲】
【請求項１】
電子取引システムにおいて取引されるアイテムに対する市場情報を表示する方法であって、
前記電子取引システムのワークステーション上に表示されるユーザインタフェースを設けるステップと、
前記ユーザインタフェース内の第１領域に前記アイテムに係る複数のビッド価格を表示するステップと、
前記ユーザインタフェース内の第２領域に前記アイテムに係る複数のアスク価格を表示するステップと、
前記アイテムに係る場内市場の表示を、該場内市場が変動すると、表示される前記価格の少なくとも１つが前記ユーザインタフェース内の前記第１領域と前記第２領域との間の位置を変化させるように、表示するステップと、
を有する方法。
【請求項２】
前記場内市場の表示された表示は、前記場内市場が変動すると、前記ユーザインタフェース内の位置を変化させる、請求項１記載の方法。
【請求項３】
前記表示された複数の価格の少なくとも１つの位置の変化の表示を表示するステップをさらに有する、請求項１記載の方法。
【請求項４】
ある表示された価格のグループに係る価格の一部のみを表示するステップをさらに有する、請求項１記載の方法。
【請求項５】
前記アイテムに対する保留されている注文が存在する価格のみを表示するステップをさらに有する、請求項１記載の方法。
【請求項６】
前記アイテムに対する保留されている注文が存在する価格を、前記アイテムに対する保留されている注文が存在しない価格の表示方法とは異なる方法により表示するステップをさらに有する、請求項１記載の方法。
【請求項７】
前記価格を表示するステップは、縮小サイズ形式により、圧縮形式により、及び削除形式により前記価格を表示することから構成されるグループから選択された方法を利用する、請求項６記載の方法。
【請求項８】
表示されないある価格グループに対するボリューム加重平均価格を計算及び表示するステップをさらに有する、請求項１記載の方法。
【請求項９】
表示されないある価格グループから選択される価格を表示するステップをさらに有する、請求項１記載の方法。
【請求項１０】
前記ユーザに完了した取引の表示を表示するステップをさらに有する、請求項１記載の方法。
【請求項１１】
ユーザから入力を受け付けるための少なくとも１つの注文入力領域を表示するステップをさらに有する、請求項１記載の方法。
【請求項１２】
前記ユーザの入力は、前記第１及び第２領域に表示される複数の価格の少なくとも１つの選択からなる、請求項１１記載の方法。
【請求項１３】
前記少なくとも１つの注文入力領域は、前記アイテムに関して前記ユーザのネットボリュームポジションをバランスさせるのに必要とされるサイズに対応するサイズを前記ユーザが取引することを可能にするよう調整される、請求項１１記載の方法。
【請求項１４】
前記ユーザの入力は、ある価格による前記アイテムのあるサイズに関する命令を有する、請求項１１記載の方法。
【請求項１５】
前記少なくとも１つの注文入力領域は、前記ユーザが前記価格を変更することを可能にするよう調整される、請求項１４記載の方法。
【請求項１６】
前記少なくとも１つの注文入力領域は、前記ユーザが前記サイズを変更することを可能にするよう調整される、請求項１４記載の方法。
【請求項１７】
前記少なくとも１つの注文入力領域は、前記ユーザが入力するのに選択する注文タイプを前記ユーザが変更することを可能にするよう調整される、請求項１４記載の方法。
【請求項１８】
前記命令は、ビッド、アスク、買い及び売りから構成されるグループから選択される注文を有する、請求項１４記載の方法。
【請求項１９】
前記少なくとも１つの注文入力領域は、ディスプレイウィンドウ、ダイアログボックス、ポップアップメニュー、ツールバー、ペイン及びコマンドラインインタフェースから構成されるグループから選択される少なくとも１つのインタフェースを有する、請求項１１記載の方法。
【請求項２０】
前記ユーザから受け付けた入力は、マウス、トラックボール、ゲームコントローラ、タッチパッド及びキーパッドから構成されるグループから選択される入力装置を介し受け付けた入力からなる、請求項１１記載の方法。
【請求項２１】
前記複数のアスク価格は、第１の軸に沿って表示され、
前記複数のビッド価格は、第２の軸に沿って表示される、請求項１記載の方法。
【請求項２２】
前記第１の軸に揃えられる第３の軸に沿って複数のサイズを表示するステップをさらに有し、
前記表示される複数のサイズの少なくとも１つは、前記第２の軸に沿って表示されるサイズの位置に揃えられる第１の軸に沿った位置に表示される価格による前記アイテムに対する少なくとも１つの注文に対応する、請求項２１記載の方法。
【請求項２３】
前記複数のサイズの少なくとも１つは、前記アイテムに対する処理中の注文に対応する、請求項２２記載の方法。
【請求項２４】
前記複数のサイズの少なくとも１つは、前記アイテムに対する完了した取引の合計サイズに対応する、請求項２２記載の方法。
【請求項２５】
前記複数のサイズの少なくとも１つは、前記アイテムに対する少なくとも１つの注文のユーザのシェアに対応する、請求項２２記載の方法。
【請求項２６】
前記複数のサイズは、各サイズが前記アイテムを購入するための少なくとも１つの注文を有する第１の複数のサイズを有する、請求項２２記載の方法。
【請求項２７】
前記第３の軸は、前記第２の軸とさらに揃えられ、
前記複数のサイズは、各サイズが前記アイテムを売却するための少なくとも１つの注文を有する第２の複数のサイズを有する、請求項２６記載の方法。
【請求項２８】
前記第２の軸に揃えられる第４の軸に沿って第２の複数のサイズを表示するステップをさらに有し、
前記表示される複数のサイズの少なくとも１つは、前記第４の軸に沿って表示されるサイズの位置に揃えられる第２の軸に沿った位置に表示される価格による前記アイテムを売却するための少なくとも１つの注文に対応する、請求項２６記載の方法。
【請求項２９】
前記表示された複数の価格及びサイズの少なくとも１つの選択を受け付けるステップをさらに有する、請求項２８記載の方法。
【請求項３０】
前記選択は、前記選択された価格又はサイズにより前記アイテムを売り買いするための注文を有する、請求項２９記載の方法。
【請求項３１】
前記ユーザインタフェースは、前記ユーザが前記選択された価格を変更することを可能にするよう調整される、請求項３０記載の方法。
【請求項３２】
前記ユーザインタフェースは、前記ユーザが前記選択されたサイズを変更することを可能にするよう調整される、請求項３０記載の方法。
【請求項３３】
前記複数の価格の１つに対応する前記複数のサイズの１つを、前記複数の価格の１つの表示方法と同様の方法により表示するステップをさらに有する、請求項２８記載の方法。
【請求項３４】
前記複数のサイズは、第１の複数のサイズを有し、
当該方法は、前記第１の複数のサイズに揃えられる第２の複数のサイズを表示するステップをさらに有する、請求項２２記載の方法。
【請求項３５】
前記第２の複数のサイズの少なくとも１つは、前記アイテムに対する処理中の注文に対応する、請求項３４記載の方法。
【請求項３６】
前記第２の複数のサイズの少なくとも１つは、前記アイテムに対する完了した取引の合計サイズに対応する、請求項３４記載の方法。
【請求項３７】
前記第２の複数のサイズの少なくとも１つは、前記アイテムに対する少なくとも１つの注文のユーザのシェアに対応する、請求項３４記載の方法。
【請求項３８】
前記ユーザインタフェース内の前記場内市場の表示された表示を中央にするステップをさらに有する、請求項１記載の方法。
【請求項３９】
前記ユーザインタフェース内の前記場内市場の表示された表示を中央にするステップは、あるユーザ入力に応答して実行される、請求項３８記載の方法。
【請求項４０】
前記ユーザインタフェース内の前記場内市場の表示された表示を中央にするステップは、定期的に実行される、請求項３８記載の方法。
【請求項４１】
前記ユーザインタフェース内の前記場内市場の表示された表示を中央にするステップは、前記場内市場の少なくとも１つの変動に応答して実行される、請求項３８記載の方法。
【請求項４２】
電子取引システムにおいて取引されるアイテムに対する市場情報を表示する方法であって、
前記電子取引システムのワークステーション上に表示されるユーザインタフェースを設けるステップと、
前記ユーザインタフェース内の第１の軸に沿って前記アイテムに係る複数のビッド価格を表示するステップと、
前記ユーザインタフェース内の第２の軸に沿って前記アイテムに係る複数のアスク価格を表示するステップと、
前記アイテムに係る場内市場における変動に応答して、表示される前記価格の少なくとも１つにおける前記第１の軸と前記第２の軸との間の位置の変化を表示するステップと、
を有する方法。
【請求項４３】
アイテムに対する市場情報を表示する電子取引システムであって、
前記アイテムに係る複数のビッド及びアスク価格を当該サーバに接続される複数のワークステーションに配信するよう構成されるサーバを有し、
前記複数のワークステーションは、
ユーザインタフェースを表示し、
前記ユーザインタフェース内の第１領域に前記アイテムに係る複数のビッド価格を表示し、
前記ユーザインタフェース内の第２領域に前記アイテムに係る複数のアスク価格を表示し、
前記アイテムに係る場内市場の表示を、該場内市場が変動すると、表示される前記価格の少なくとも１つが前記ユーザインタフェース内の前記第１領域と前記第２領域との間の位置を変化させるように、表示するよう構成される、システム。
【発明の詳細な説明】
【発明の詳細な説明】
【０００１】
［関連出願の相互参照］
本出願は、参照することによりその全体がここに含まれる、２００４年７月２９日に出願された米国仮出願第６０／５９２，４１５号及び２００４年１１月１９日に出願された米国仮出願第６０／６２９，６９６号の優先権を主張する。
［発明の技術分野］
本発明は、電子取引システムに関する。より詳細には、本発明は、電子取引システムにより利用されるユーザインタフェース及び方法に関する。
［発明の背景］
今日、多くの取引は、簡単な情報配信から財やサービスの取引を自動化した高度な取引システムに至るまでコンピュータのサポートを伴っている。金融商品（株式、債券、通貨、先物、オプションなど）から消費財（古いレコード、アンティーク、ワインなど）にいたる広範なアイテムの取引に対する電子取引システム及び方法が、広範に受け入れられてきた。電子取引がより一般的になるに従って、より多くの取引者が、迅速、効率的かつ正確な方法により取引命令を入力するための新規なシステム及び方法を必要としている。電子取引の一方法では、ビッドとアスクが取引者によって取引システムに送信され、その後、当該ビッド及びアスクが取引システムによって他の取引者に表示される。その後、他の取引者は、システムに売り（又はヒット）又は買い（又はテーク）命令を送信することによって当該ビッドとアスクに応答するかもしれない。
【０００２】
このような電子取引システム及び方法のいくつかの実現形態は、ビッドカラム、アスクカラム及び１つの価格軸を表示する。ビッド及びアスク量が、標準的な増分により表示されるそれら各自の価格と関連付けされる。直接的であるが、当該アプローチは、特に取引インタフェースが静的な価格軸を表示するときには、内部の市場をユーザに明確に伝えることができない。これは、ユーザが価格の変化より数量の変化を着目してしまうためである。さらに、このアプローチは、リアルタイムに行われる取引活動を表示することができない。
【０００３】
さらに、取引が速いペースで実行されるとき、市場状態は迅速に変化する。従って、価格のポジションは、迅速かつときにはほとんど同時に変化するかもしれない。従って、このようなシステムのユーザは、例えば、システムによって命令が登録される時点により変動した可能性がある価格を選択するためポインタを利用することによって、誤った価格レベルにおいて取引命令を入力する危険に直面する。このような誤った入力は、迅速に変動する市場において大変望ましくない結果をもたらす可能性がある。このような多くのユーザは、典型的には、複数のウィンドウ、インタフェース又は画面を同時に見ることによって、複数のアクティブな市場を追跡する追跡する取引者であって、これにより、このような誤った入力が発生する可能性が増大する。
【０００４】
以上より、取引の迅速、正確かつ効率的な実行を保証しながら、価格変動を明確に表すシステム及び方法を提供することが望ましい。
【０００５】
また、直感的な電子取引のためのユーザインタフェースであって、これにより、場内市場がビッド／アスク価格とそれらに関する数量の動的な表示によってユーザに表示されるユーザインタフェースを提供することが望ましい。
【０００６】
また、所望の価格レベルにおける注文入力のための正確かつアクセス可能な軸を維持しながら、ビッド／アスク価格とそれに関する数量の表示を調整することが望ましい。
【０００７】
また、ユーザの取引嗜好に従って、ユーザインタフェースをカスタマイズする機会をユーザに提供することが望ましい。
【０００８】
また、何れか適切な入力装置を利用して、ユーザインタフェースをユーザが操作することを可能にすることが望ましい。
【０００９】
また、リアルタイムに行われる取引活動を表示することが望ましい。
【００１０】
また、リアルタイムにまだ受入又は拒絶されていない取引注文を表示することが望ましい。
［発明の概要］
従って、本発明の課題は、取引の迅速、正確かつ効率的な実行を保証しながら、価格変動を明確に表すシステム及び方法を提供することである。
【００１１】
本発明の他の課題は、直感的な電子取引のためのユーザインタフェースであって、これにより、場内市場（ｉｎｓｉｄｅ  ｍａｒｋｅｔ）がビッド／アスク価格とそれらに関する数量の動的な表示によってユーザに表示されるユーザインタフェースを提供することである。
【００１２】
本発明のさらなる他の課題は、所望の価格レベルにおける注文入力のための正確かつアクセス可能な軸を維持しながら、ビッド／アスク価格とそれに関する数量の表示を調整することである。
【００１３】
本発明のさらなる他の課題は、ユーザの取引嗜好に従って、ユーザインタフェースをカスタマイズする機会をユーザに提供することである。
【００１４】
本発明のさらなる他の課題は、何れか適切な入力装置を利用して、ユーザインタフェースをユーザが操作することを可能にすることである。
【００１５】
本発明のさらなる他の課題は、リアルタイムに行われる取引活動を表示することである。
【００１６】
本発明のさらなる他の課題は、リアルタイムにまだ受入又は拒絶されていない取引注文を表示することである。
【００１７】
上記及び他の課題は、ユーザインタフェースを介しアイテムに対する市場情報を表示し、アイテムの電子取引を可能にするシステム及び方法を提供することによって、本発明の原理により実現される。より詳細には、本発明のいくつかの実施例は、価格の動的な表示を含む電子取引システムにより利用されるインタフェースを提供することである。当該インタフェースは、好ましくは各軸に沿ってビッド価格とアスク価格を表示する。インタフェースは、サイズ情報を表示するための少なくとも１つの軸を提供するかもしれない。本発明のいくつかの実施例では、インタフェースは、ビッドサイズ軸とアスクサイズ軸を提供する。インタフェースはまた、インタフェース内の中央にある場内市場の表示、すなわち、存在するサイズに対するベストな（最も高い）ビッド価格とベストな（最も低い）アスク価格を提供する。市場状態の変動に応答して場内市場が変動すると、少なくとも１つの価格が、ビッド価格軸とアスク価格軸の間で位置を変更する。これらの価格は、処理中の注文のサイズ、完了した取引のサイズ、合計サイズのうちのユーザのシェアなどの各種サイズと共に、各種方法により表示されてもよい。ユーザは、入力装置を使用して、ビッド、アスク、買い及び売り注文を入力し、発注前にそれらを変更するかもしれない。注文入力領域は、発注を実現するようユーザに表示されるようにしてもよい。
［発明の詳細な説明］
本発明は、従来システム及び方法より大きな挙動レベル及び取引活動を表示する市場情報を表示する取引インタフェースを提供し、追加的な機能を有し、従来システム及び方法より使い易くより直感的なシステム及び方法に関する。本発明はまた、ユーザ入力を受信するためのユーザ入力装置に関する。より詳細には、本発明は、ブローカー、トレーダー、他の何れかの市場参加者などのユーザが、特定アイテムに対して提供されたビッド及びアスク又はオファーなどの市場活動を閲覧し、直感的に、迅速にかつ正確に取引を入力、実行及び閲覧することを可能にする構成、ラベル、カラー化、プログラムされた機能などを有するカスタマイズ可能なインタフェース及び入力装置に関する。ビッドは、ビッド価格、すなわち、発行物又はアイテムを購入するため提示された金額と、ビッドサイズ、すなわち、当該ビッドのボリュームを含むかもしれない。同様に、アスク又はオファーは、発行物又はアイテムを売却するため提示される金額と、アスク又はオファーサイズ、すなわち、当該アスク又はオファーのボリュームとを含むかもしれない。
【００１８】
本発明のさらなる詳細が、図１〜１３に関して後述される。
【００１９】
図１を参照するに、本発明を実現するための一例となるシステム１００が示される。図示されるように、システム１００は、１以上のワークステーション１１０を有するかもしれない。ワークステーション１１０は、ローカル又はリモートであってもよく、１以上の通信リンク１０２によって、通信リンク１０５を介しサーバ１２０にリンクされるコンピュータネットワーク１０３に接続される。サーバ１２０は、通信リンク１０７を介しバックオフィス決済センター１３０にリンクされるかもしれない。
【００２０】
サーバ１２０は、何れか適切なサーバ、プロセッサ、コンピュータ、データ処理装置、又は上記の組み合わせであってもよい。サーバ１２０は、注文及び取引を処理及び実行し、価格及びサイズ情報を含む取引及び市場情報をワークステーション１１０に配信する管理ロジックを実現するのに利用可能である。コンピュータネットワーク１０３は、好ましくは、インターネットを有するが、イントラネット、ワイドエリアネットワーク（ＷＡＮ）、ローカルエリアネットワーク（ＬＡＮ）、ワイヤレスネットワーク、デジタル加入者線（ＤＳＬ）ネットワーク、フレームリレイネットワーク、非同期転送モード（ＡＴＭ）ネットワーク、バーチャルプライベートネットワーク（ＶＰＮ）、又は上記の任意の組み合わせなど、何れか適切なコンピュータネットワークから構成されてもよい。通信リンク１０２及び１０５は、ネットワークリンク、ダイアルアップリンク、ワイヤレスリンク、有線リンクなど、ワークステーション１１０とサーバ１２０との間でデータを通信するのに適切な任意の通信リンクであってもよい。
【００２１】
ワークステーション１１０は、パーソナルコンピュータ、ラップトップコンピュータ、メインフレームコンピュータ、ダム端末、データディスプレイ、インターネットブラウザ、携帯情報端末（ＰＤＡ）、ツーウェイページャ、ワイヤレス端末、携帯電話など、又は上記の任意の組み合わせであってもよい。ワークステーション１１０は、取引されるアイテムに対するビッド、アスク、買い及び売り注文を入力し、当該アイテムに対応する市場活動を閲覧するのに参加者により利用可能である。
【００２２】
典型的なワークステーション１１０は、相互接続可能なプロセッサ１１１、ディスプレイ１１２、入力装置１１３及びメモリ１１４を有するかもしれない。好適な実施例では、メモリ１１４は、プロセッサ１１１を制御するためのワークステーションプログラムを格納する記憶装置を有する。メモリ１１４はまた、後述されるようなユーザコンフィギュレーションファイルと他のデータを記憶装置に格納するかもしれない。ワークステーションプログラムは、図２〜１３に示され、ディスプレイ１１２上に表示される取引インタフェースを実行するための取引アプリケーションを有するかもしれない。入力装置１１３は、所望のアイテムに関するビッド／アスクを入力し、取引を実行及びモニタするため、ユーザによってディスプレイ１１２と共に利用されるかもしれない。プロセッサ１１１は、ワークステーションプログラムを利用して、システム１００の複数のユーザ又は他のユーザによって取引されるアイテムに関する取引情報を受け付け、当該情報をディスプレイ１１２上に表示し、又は当該情報をディスプレイ１１２と通信するかもしれない。
【００２３】
サーバ１２０は、相互接続可能なプロセッサ１２１、ディスプレイ１２２、入力装置１２３及びメモリ１２４を有するかもしれない。好適な実施例では、メモリ１２４は、プロセッサ１２１を制御する管理ロジックを提供するサーバプログラムを格納する記憶装置を有する。メモリ１２４はまた、後述されるような企業レベルのコンフィギュレーションファイルと他のデータを記憶装置に格納するかもしれない。プロセッサ１２１は、サーバプログラムを利用して、注文を処理し、システム１００の複数のユーザ又は他のユーザにより操作される各種ワークステーションから通信される取引を実行し、取引情報と共にビッド及びアスク情報をワークステーション１１０及びバックオフィス決済センター１３０と通信するかもしれない。より詳細には、プロセッサ１２１は、サーバプログラムを利用して、ユーザが入力装置１１３を用いて命令を入力することに応答して、ユーザにより発注される注文を処理し、適用可能であるときは常に、当該注文に基づき取引を実行するかもしれない。
【００２４】
バックオフィス決済センター１３０は、取引を決済し、及び／又は取引が決済されていることを確認するためのコンピュータ、ラップトップコンピュータ、メインフレームコンピュータなど、又は上記の何れかの組み合わせなどの何れか適切な装置であってもよい。通信リンク１０７は、ネットワークリンク、ダイアルアップリンク、ワイヤレスリンク、有線リンクなど、サーバ１２０とバックオフィス決済センター１３０との間でデータを通信するのに適した任意の通信リンクであってもよい。
【００２５】
図２〜１３は、本発明の原理による図１のシステム１００上に実現及び表示されるユーザインタフェースを示す。例えば、図２〜１３は、ディスプレイ１１２上に表示され、入力装置１１３を用いて操作可能なインタラクティブディスプレイ及びその一部を示す。
【００２６】
図２Ａは、利子率関連商品、その派生商品又は他の何れかの商品及び／又はアイテムなど、金融商品の電子取引に関する本発明によるインタラクティブディスプレイ２００を示す。図２Ａは、ある時点における市場のインタラクティブディスプレイ２００を示す。図２Ａは複数の垂直軸又はカラムを示すが、本発明の範囲は、水平方向の軸、他の何れか適切な軸又は表示領域を有することに留意すべきである。インタラクティブディスプレイ２００は、好ましくは、第１軸上のビッドサイズカラム２１０と、第２軸上にアスクサイズカラム２２０と、第３軸上にビッド価格カラム２３０と、第４軸上にアスク価格カラムとを有する。ビッド価格カラム２３０とビッドサイズカラム２１０は、インタフェース２００のビッドサイドを表し、アスク価格カラム２４０とアスクサイズカラム２２０は、インタフェース２００のアスクサイドを表す。ビッドサイズカラム２１０は、好ましくは、ビッド価格カラム２３０に示される対応する価格により利用可能なビッドのサイズを示し、アスクサイズカラム２２０は、好ましくは、アスク価格カラム２４０に示される対応する価格により利用可能なアスクのサイズを表示する。視覚的な指標が、ビッドとアスクに係るカラムとの差を強調するため利用されるかもしれない。例えば、ビッドサイズカラム２１０及び／又はビッド価格カラム２３０は、アスクサイズカラム２２０及び／又はアスク価格カラム２４０と異なって色づけされるかもしれない。
【００２７】
場内市場の表示は、２７０におけるボックスカラーにより示される。場内市場はベストビッド価格１２７．００により利用可能なビッドサイズ１０と、ベストアスク価格１２７．２５により利用可能なアスクサイズ１００を有するかもしれない。ボックスエリア２７０は、好ましくは、インタラクティブディスプレイ２００上に場内市場を表示し、これにより、ベストビッドとベストアスクを強調する。エリア２７０はハイライトされてもよいし、又はそれのエッジが色づけされてもよい。エリア２７０がボックスにより表示されている間、当該表示は、ベスト価格及び対応するサイズを下線により、イタリック体により、及び／又は太字により表示したり、及び／又は独自の又は異なるフォント又はフォントサイズを利用するなどにより、場内市場の反転又は他の適切な視覚的指標又は方法を利用して設けられてもよい。
【００２８】
ビッド／アスク価格カラム２３０及び２４０は、固定された増分に従って価格を表示するかもしれない。例えば、インタラクティブディスプレイ２００の価格は、０．２５の増分により示されている。あるいは、本発明の一部の実施例では、表示される価格の増分は、ユーザにより指定されてもよい。例えば、ユーザは、インタラクティブディスプレイ２００のベストビッド及びオファー価格以外の価格が、０．５０の増分により示されることを指定してもよい。このような状況では、ベスト価格レベル１２７．００及び１２７．２５を含む行が表示され、１２７．７５、１２８．２５、１２６．７５、１２６．２５などの価格レベルを含む行は表示されず、これにより、より広範な価格レベルを表示するため、より大きな表示スペースを提供する。ユーザが標準的でない価格増分に対応する価格レベルにより取引することを可能にする市場では、ビッド又はアスクされる対応するサイズを有するすべての価格レベルが、後述されるように、ユーザの嗜好により表示されるかもしれない。例えば、図５Ａ及び５Ｂ並びに対応する記載を参照されたい。
【００２９】
図４、図１２Ｄ及び図１３において、より大きな表示スペースを可能にする本発明の他の実施例が示される。図４を参照するに、インタラクティブディスプレイ４００は、価格ハンドルを表示することによって、当該ハンドルにおける変化を顕著にすることが必要であるとき、価格を抽出するようにしてもよい。このハンドルは、小数点の左の数字を表す。例えば、行４１２〜４１８は、行４１１の価格１０１．１８と行４１９の価格１０２．２２との間に属する価格レベルの価格ハンドル１０１をアスク価格カラム４４０には表示しない。同様のことが、ビッド価格カラム４３０に表示される価格レベルについてもいえる。これらの係るの各価格レベルのハンドルが、この場合は行４１９のアスク価格を除いて存在すると推論することができる。行４１９のアスク価格は、行４１９の価格レベルが行４１８の価格レベルからのシーケンシャルな価格変動でないことを示すのにハンドル１０２を表示する。
【００３０】
ハンドルはまた、当該レベルに対して最も高い可能な増分における価格レベルから次の価格レベルまでのシーケンシャルな価格の増大に対応するアスク価格カラム内のセルに現れるかもしれない。同様に、ハンドルはまた、当該レベルに対する最も低い可能な増分における価格レベルから前の価格レベルへのシーケンシャルな価格の減少に対応するビッド価格カラム内のセルに現れるかもしれない。少なくとも１つの価格ハンドルが、基準フレームを提供するため、価格軸に表示されるべきである。
【００３１】
インタラクティブディスプレイ４００はまた、ヒット、すなわち、受入されているビッドを含む行に価格ハンドルを表示するようにしてもよい。インタラクティブディスプレイ４００はさらに、又はその代わりに、テーク、すなわち受入されるアスクを含む行、例えば、行４１１などに価格ハンドルを表示するようにしてもよい。インタラクティブディスプレイ４００はさらに、又はその代わりに、行４１０など、ロックされた、すなわち、ベストビッド価格がベストアスク価格に等しい市場を含む行に価格ハンドルを表示するようにしてもよい。本発明の他の実施例では、価格ハンドルは、図１２Ｃ及び１２Ｄなどに示されるように、ある行又はすべての行において小数点の右側にある数字を表示するのに使用されるものより小さなサイズのフォントを用いて表示されてもよい。
【００３２】
従って、価格ハンドルを選択的に又は異なって表示することを含む上記実施例は、ディスプレイを閲覧するユーザが価格変動を認識することを容易にするだけでなく、図５Ｂに示されるような標準的でない価格増分における価格レベルや、図１２Ａ〜１２Ｄに示されるようなサイズのユーザのシェアなど、他の有用な情報を表示するためのさらなる表示スペースを提供する。
【００３３】
ユーザは、場内市場を取り囲む選択された行が、可能な最も小さな価格増分によって分離される価格レベルを表示するように、ディスプレイをカスタマイズするかもしれない。この状況では、すべての利用可能な増分による価格レベルが、選択されたセルにおいて表示されるかもしれない。同様に、ユーザは、より好ましくない価格を表示するセルが、より大きな価格増分によって分離される価格レベルを表示する用に、ディスプレイをカスタマイズするかもしれない。あるいは、ユーザは、価格を表示するセル、特にレンジが特定の価格増分に関連付け及び表示されることを指定するようにしてもよい。
【００３４】
システム又はユーザは、すべての価格レベルが表示されるベストビッド／アスクを上回る及び／又は下回るいくつかの行又は価格レンジを特定するウィンドウを規定するようにしてもよい。この状況では、すべての利用可能な又はユーザにより指定された増分における価格レベルが、所与の価格レベルにおける保留中のビッド又はアスクが存在するか否かに関係なく、当該ウィンドウに表示されてもよい。サイズがビッドもアスクもされていない価格レベルを含む行は、ゼロ又は“−”シンボルにより表示されてもよく、又は何も表示されなくてもよい。すなわち、ビッド及びアスクサイズカラム、ビッド及びアスク価格カラム、又はその両方の対応するセルに何れの数字、文字又はシンボル“−”も表示しない。ユーザにより規定されるウィンドウの上下の行は、対応するビッド及びアスクサイズが存在する価格を表示するだけでもよい。
【００３５】
何も表示されない代わりに、ユーザにより所望される増分に対応しない価格レベルを含む行及び／又はビッド及びアスクされないサイズの価格レベルを含む行が、かわりに他の方法により表示されてもよい。例えば、図５Ａは、標準的でない価格増分に対応する価格１０１．１７２においてビットされる１０のサイズを示す行５１０がより小さなサイズにより表示され、同じカラムのビッド価格と垂直に揃えられて表示され、又は表示されないインタラクティブディスプレイ５００を示す。同様に、インタラクティブディスプレイ５００の行５３０は、より小さなサイズにより表示される標準的でない価格増分に対応して、価格１０１．１８２によりアスクされる２のサイズを示す。他の例では、図５Ｂは、行５１０と５２０の間に属する行が、標準的でない価格増分に対応して価格１０１．１６６においてビッドされる４のサイズを示す単一のセル５１５に表示されるインタラクティブディスプレイ５０１を示す。図５Ａ及び５Ｂのインタラクティブディスプレイは、標準的でない価格増分に対応する価格レベルの存在をユーザに示すのに利用可能である。本発明の他の実施例では、そのような行は、以下の記載に対応する図に示される行と同様に、縮小された又は圧縮された形式により表示されるかもしれない。
【００３６】
図６Ａ〜６Ｄに示されるように、インタラクティブディスプレイに示される行は、高さと幅などの可変的サイズを有するかもしれない。図６Ａ〜６Ｄは、行６１０、６２０、６３０及び６４０など、圧縮された行を含むかもしれないインタラクティブディスプレイ６００、６０１、６０２及び６０３を示す。これらの行は、それらを拡張するため、すなわち、それらがその他の表が表示されるのと同様に表示されるように、マウス又は他の何れかの入力装置などのポインティング装置を用いてクリックすることが可能な視覚的指標によって記されるかもしれない。視覚的指標は、アップ／ダウン矢印を有してもよく、指標６１１、６２１、６３１及び６４１などの“＋”シンボルであってもよく、又は他の何れか適切な指標であってもよい。拡張された各行は、当該行のサイド又はエッジなどの特定部分、又は数値を含まない当該行の他の適切な部分をクリックすることによって、又は他の何れか適切なアクションを介し圧縮されてもよい。
【００３７】
インタラクティブディスプレイ６００、６０１、６０２及び６０３は、圧縮形式により他のものを表示しながら、拡張形式により特定行を表示するようカスタマイズ可能である。例えば、ユーザにより所望される増分に対応しない価格を含む行及び／又はビッドもアスクのサイズがない価格を含む行が、デフォルトによって、すなわち、ユーザがインタラクティブディスプレイを起動するときに圧縮されてもよい。あるいは、ユーザは、場内市場の上下の圧縮された行を表示しながら、場内市場を示すものに近い拡張された行を表示するようディスプレイをカスタマイズするようにしてもよい。例えば、ユーザが規定するとき、又はシステムがデフォルトによりすべての価格が表示されるベストビッド／アスクの上下の価格レンジ又はいくつかの行を特定するウィンドウを設定するとき、圧縮された行が当該ウィンドウの外部に表示されるかもしれない。本例では、拡張されると、圧縮された行６１０及び６４０が、ユーザにより規定されるウィンドウの外部の残りのすべての価格に対するボリューム加重平均された価格を表示するのに利用されてもよい。あるいは、本発明のいくつかの実施例では、拡張されると、圧縮されている行６１０及び６４０は、ユーザがユーザにより規定されたウィンドウの外部の残っているすべての利用可能なサイズ又は他の何れかの価格を取引可能なワースト価格である、あるサイズのビッド及びアスクがある次に利用可能な価格を表示するのに利用可能である。当該レンジ内の行が、それらをクリックすることによって圧縮されるかもしれない。圧縮されると、このような行は、それらをクリックすることによって、又は当該商品が取引される価格を示すチャートを表示するウィンドウなど、取引される商品に関する情報を表示する他の適切な部分をクリックすることによって、拡張されるようにしてもよい。
【００３８】
本発明のいくつかの実施例では、複数の圧縮された行が、連続しない価格レベル間においてある価格レンジが存在することを示すのに利用可能である。これらの行は、デフォルトにより、すなわち、ユーザがインタラクティブディスプレイを起動するとき、圧縮形式により表示されるかもしれない。なぜなら、当該価格レンジにはビッド又はアスクとしてのサイズが存在しないため、当該価格レンジは場内市場から削除されているため、当該価格レンジがユーザにより規定されるウィンドウの外部にあるため、又は他の何れか適切な理由のためである。
【００３９】
本発明のいくつかの実施例では、互いに隣接する複数の圧縮された行は、価格レベルがいくつ存在するかに関係なく、インタラクティブディスプレイに同時には表示されない。例えば、図６Ａ〜６Ｄは、拡張可能な価格１０１．１３＋と１０１．１５＋との間の２つの圧縮された行を示す。拡張されると、先頭の圧縮された行は、現在拡張されている価格レベルの下の次の価格増分を表示するかもしれない。同様に、拡張されると、下位にある圧縮された行は、現在拡張されている価格レベルの上の次の価格増分を表示するかもしれない。指標６２１をクリックすると、図６Ａの行６２０を図６Ｂの行６２５に拡張し、これにより、価格１０１．１５＋の下の価格１０１．１５が表示される。行６２０が拡張された後、価格１０１．１３＋と１０１．１５との間に２つの圧縮された行６３０と６５０が表示される。なぜなら、複数の価格レベルが表示されないままであるためである。同様に、指標６３１をクリックすると、図６Ａ及び６Ｂの行６３０が図６Ｃの行６３５に拡張され、これにより、価格１０１．１３＋の上の価格１０１．１４が表示される。行６２０と６３０が拡張された後、圧縮された１つの行６５０が、価格１０１．１５と１０１．１４との間に表示される。なぜなら、１つの価格レベルが表示されないままであるためである。指標６５１をクリックすることは、図６Ｂ及び６Ｃの行６５０を図６Ｄの行６５５に拡張し、これにより、価格１０１．１４と１０１．１５との間に価格１０１．１４＋が表示される。行６２０、６３０及び６５０が拡張されると、何れの圧縮された行も表示されない。なぜなら、すべての価格レベルが拡張されたことになるためである。
【００４０】
本発明の他の実施例では、１つの圧縮された行が、連続しない価格レベルの間のある価格レンジの存在を示すのに利用可能である。当該行の何れの部分がクリックされるかに応じて、次の価格増分を示す拡張された行が、すでに利用可能な価格を表示する最も近い行の上下に表示されるかもしれない。すべての価格レベルが表示されるまで、１つの圧縮された行が連続しない価格レベルの間に表示され続けるようにしてもよい。あるいは、本発明のいくつかの実施例では、連続しない価格レベルの間の価格レベルレンジの存在を示すため、表示されない価格レベルの個数を対応する数を含むある数の圧縮された行が表示されてもよい。
【００４１】
本発明のいくつかの実施例では、インタラクティブディスプレイ２００は、好ましくは、場内市場の変化を以下のように示す。ある価格に対するアスクとマッチすると、例えば、１２７．２５による１００のアスクが購入され、５０などのさらなるサイズが１２７．２５によりビッドされると、ディスプレイに以下の変化が実現される。セル２５０は、ワード“ＴＡＫ”を表示する指標が一時的に表示される間、購入されるサイズ、すなわち、１００により一時的に占有される（例えば、図４の行４１１を参照されたい）。その後、セル２５０が、新たなベストビッド価格、すなわち、１２７．２５により占有され、セル２４５が、新たなベストビッドサイズ、すなわち、５０により占有され、セル２５５及び２６０が、好ましくは、占有解除される。ワード“ＴＡＫ”を表示する指標は、点滅した指標、強度を変化させる指標又は他の何れか適切な視覚的指標であってもよい。
【００４２】
図２Ｂのインタラクティブディスプレイ２０１は、特に上述された市場状態の一例となる変化に応答して場内市場の表示において変化に対するネットの効果を示す、以降における図２Ａの市場を示す。インタラクティブディスプレイ２０１は、５０のサイズにより占有されるセル２４５と、１２７．２５の価格により占有されるセル２５０と、占有解除されたセル２５５及び２６０とを示す。ビッド価格カラム２３０における占有されていないセルの１つが占有されており、アスク価格カラム２４０の占有されているセルの１つが占有解除された。また、ベストビッドとして、すなわち、１２７．２５として以前に表示された価格は、市場状態の変化に応答して、セル２６０からセル２５０にポジションを変化させたことに留意すべきである。従って、場内市場の一部は、１つのカラムから他のカラムに移動した。場内市場の一部の位置の変化の表示が表示されてもよい。例えば、インタラクティブディスプレイは、セル２６０のベストアスク価格からセル２５０のベストビッド価格になるまでの価格１２７．２５の移動を示すかもしれない。さらに、ベストビッド及び／又はベストアスク価格が変動すると、場内市場のグラフィック表示がまた、場内市場のサイズだけでなくそれにかかる代表的な価格の空間的移動、すなわち、ディスプレイ上での位置の移動を明確に示すよう変更される。
【００４３】
従って、上述した例では、ビッド価格カラム２３０とアスク価格カラム２４０の両方が変動し、これにより、場内市場のサイズ及びディスプレイにおけるそれらの位置と共に、それに係る代表的な価格が、市場状態の変動に応答して変化している。より詳細には、価格カラム２３０と２４０の両方が、場内市場における変化に基づき変動する。価格カラムの変化は、１つのカラムから他方のカラムへの表示された価格の位置の変化によって特徴付けされてもよい。この変化はまた、１つのカラムに表示される占有されるセルの個数の減少と、他方のカラムに表示される占有されたセルの個数の対応する増加とによって特徴付けされてもよい。さらに、ディスプレイ上のポジションはまた、市場状態のこのような変化に基づき変動するかもしれない。
【００４４】
従って、共通の静的な価格軸を利用する他のシステムと異なり、本システムのいくつかの実施例は、二重の動的な価格軸を利用することが理解できる。
【００４５】
図２Ａを再び参照するに、ある価格に対するビッドがマッチすると、例えば、１２７．００において１０のビッドが売られ、５などのさらなるサイズが１２７．００によりアスクされると、ディスプレイに対する以下の変化が実現される。セル２９０は、購入されるサイズ、すなわち、１０により一時的に占有され、ワード“ＨＩＴ”を表示する指標が一時的に表示される（例えば、図３Ｂのセル３９０を参照されたい）。その後、セル２９０は、新たなベストアスク価格、すなわち、１２７．００により占有され、セル２８５は、新たなベストアスクサイズ、すなわち、５により占有され、セル２７５及び２８０は、好ましくは、占有解除される。ワード“ＨＩＴ”を表示する指標は、点滅する指標、強度を変化させる指標又は他の何れか適切な視覚的指標であってもよい。
【００４６】
他方、ある価格に対するビッドが完全にはマッチしない場合、例えば、１２７．００の１０ビッドの内の８ビットが売却される場合、ディスプレイに対して以下の変化が実現されるであろう。すなわち、セル２９０は、購入されるサイズ、すなわち、８により一時的に占有され、ワード“ＨＩＴ”を表示する指標が、一時的に表示される。セル２７５のビッドサイズは、ヒットされなかった残りのサイズ、すなわち、２を表示するよう調整される。ワード“ＨＩＴ”を表示する指標は、点滅する指標、強度を変化させる指標又は他の何れか適切な視覚的指標であってもよい。
【００４７】
同様に、ある価格に対するアスクが完全にはマッチしない場合、例えば、１２７．２５の１００のアスクの内の５０が購入される場合、ディスプレイに対する以下の変更が実現されるであろう。すなわち、セル２５０は、購入されるサイズ、すなわち、５０により一時的に占有され、ワード“ＴＡＫ”を表示する指標が一時的に表示される。セル２５５のアスクサイズは、テークされなかった残りのサイズ、すなわち、５０を表示するよう調整される。ワード“ＴＡＫ”を表示する指標は、点滅する指標、強度を変化させる指標又は他の何れか適切な視覚的指標であってもよい。
【００４８】
上記説明は、取引システムのユーザに入力された注文及び完了した取引を示すインタフェースの異なる実施例を示す取引アプリケーションを実現する取引システムを記載する。すべての注文のサイズが、市場各動に応答してリアルタイムに表示及び調整されてもよい。本発明の他の実施例では、取引アプリケーションはまた、取引注文を発注したユーザ又はすべてのユーザが、システムによりそれらの受付（又は拒絶）前に発注された注文を確認することを可能にするかもしれない。本発明のため、このような注文は、ビッド及びアスク注文と共に、このようなビッド及びアスクをキャンセルするための注文を含むかもしれず、処理中の注文として参照されるかもしれない。
【００４９】
このような実施例では、各サイズカラムは、システムによってすでに受付されたサイズを示す数字と、あるユーザ又は複数のユーザによって入力された処理中の注文のサイズを示す数字との少なくとも２つの数字を表示するかもしれない。さらに、処理中の注文のサイズは、それが注文を入力したユーザに従って、注文が入力された時点又は方法、又は何れか適切な分類に従って分割されるように表示されてもよい。あるいは、本発明のいくつかの実施例では、これら少なくとも２つの数字が組み合わされ、視覚的指標が、表示される合計サイズが処理中の注文に対応するサイズを含むことを示すのに利用可能である。例えば、受付されるべき注文を含む合計サイズが、完全に受付されたサイズを示すものと異なってカラー符号化されるようにしてもよい。いくつかの実施例では、合計サイズを示す数の構成要素が、ユーザが、合計サイズを表示するセル上のマウスポインタの移動などの特定のアクションをとると、表示されるようにしてもよい。
【００５０】
典型的には、従来の取引システムでは、ユーザは、インタラクティブディスプレイ上の特定フィールドに価格とサイズをタイプすることによって、各命令を入力する。本発明によるインタラクティブ取引は、以下のように実現可能である。ユーザが図２Ａのセル２７５及び２８０に示される市場をヒットすることを所望する場合、ユーザは、図１の入力装置１１３を利用して、図１のディスプレイ１１２に占有されていないセル２９０又は２８５、すなわち、インタフェースのアスクサイドの同一の行の対応する占有されていないセルをクリックすることによって、注文を入力することが可能である。あるいは、ユーザが、セル２５５及び２６０に示される市場をテークすることを所望する場合、ユーザは、占有されていないセル２５０又は２４５、すなわち、インタフェースのビッドサイドの同一行の対応する占有されていないビッドセルをクリックすることが可能である。同様に、ユーザは、ユーザがビッド／アスクを発注することを所望する価格を表示する対応するビッド又はアスクセルをクリックすることによって、ビッド及びアスク注文を発注するかもしれない。ユーザは、ユーザが選択した価格により注文を入力するたびに、当該注文がユーザがそれを変更しない場合にはデフォルトサイズに対して入力されるように、任意の適切な方法を利用して以降に変更可能なデフォルトサイズを設定するかもしれない。
【００５１】
あるいは、ユーザが、例えば、左右のクリックボタンなどの２つのボタンを有するマウスを使用している場合、ユーザは、デフォルトサイズの注文を入力するため１つのボタンを利用し、又は、異なるデフォルトサイズなどの他のサイズを入力し、又は表示ウィンドウ、ダイアログボックス、ポップアップメニュー、ツールバー、ペイン、コマンドライン又は他の何れか適切な取引インタフェースから、サイズ、価格、注文タイプ又はこれらの何れかの組み合わせを選択するため、他方のボタンを利用するかもしれない。さらに、ユーザが、ホイールなどのスクローリング機能を有するマウスを利用している場合、ユーザは、マウスホイールを用いて所望の増分だけデフォルトサイズを増減するかもしれない。本発明のいくつかの実施例では、ユーザがビッドカラム又はアスクカラムのセルをクリックしているか否かは、ユーザがビッド、アスク、買い又は売りをしているか決定するかもしれない。本発明の他の実施例では、右クリックは、ヒット（売り）のための注文、すなわち、アスク（売り注文の発注）に係るものであり、左クリックは、テーク（買い）のための注文、すなわち、ビッド（買い注文の発注）に係るものであるかもしれず、その逆も可能である。図１の入力装置１１３は、マウス、トラックボール、ゲームコントローラ、タッチパッド、キーボード、上記の何れかの組み合わせ、又はユーザが注文を入力するのに利用可能な何れか適切な入力装置であってもよい。
【００５２】
ビッド価格、ビッドサイズ、アスク価格及び／又はアスクサイズの各カラムの占有されていないセルは、当該セルがある同一行の上に表示される対応する価格による任意のタイプの適切な発注を実現及び表示するのに利用されてもよい。適切な注文の具体例として、ヒット／テークオール注文、ストップ注文、及び／又はＭＩＴ（ｍａｒｋｅｔ  ｉｆ  ｔｏｕｃｈｅｄ）注文があげられる。
【００５３】
例えば、ユーザが図２Ａに表示されるような１２６．２５の価格により利用可能な市場全体をヒットすることを所望する場合、ユーザは、カラム２３０に表示されるビッド価格に対応するアスク価格カラムの占有されていないセル２１２をクリックすることが可能である。子の状況では、セル２７５に示される市場と共に、セル２７５の下の３つの行のそれぞれに示される市場がヒットされ、合計で２８５のサイズが、１２６．２５価格によりユーザによって売却される。他の例として、ユーザが図２Ａに表示されるような１２７．５０の価格において利用可能な市場全体をテークすることを所望する場合、ユーザは、カラム２４０に表示されるアスク価格に対応する各カラムにおける占有されていないセル２１４をクリックすることができる。この状況では、セル２６０に示される市場と共に、セル２６０の上の行に示される市場が、１２７．５０の価格によりユーザによって購入されることとなる。ユーザは、占有されているセルの何れかがクリックされるときは常に、注文タイプをデフォルト注文タイプとして利用するよう設定するかもしれない。
【００５４】
図３Ａ、３Ｂ及び３Ｃは、本発明のいくつかの実施例において利用可能なインタラクティブディスプレイの他の実施例を示す。図３Ａは、ある時点における市場のインタラクティブディスプレイ３００を示す。ディスプレイ３００は、好ましくは、ビッドサイズカラム３１０と、アスクサイズカラム３２０と、ビッド価格カラム３３０と、アスク価格カラム３４０とを有する。ビッドサイズカラム３１０は、好ましくは、ビッド価格カラム３３０に示される対応する価格において利用可能なビッドのサイズを表示し、アスクサイズカラム３２０は、好ましくは、アスク価格カラム３４０に示される対応する価格により利用可能なアスクのサイズを表示する。
【００５５】
場内市場の表示は、ハイライトされたセル３５５、３６０、３７５及び３８０によって、又は他の何れか適切な視覚的指標又は方法を利用して示されてもよい。場内市場は、ベストビッド価格９９．０４＋により利用可能なビッドサイズ３と、ベストアスク価格９９．０５により利用可能なアスクサイズ３とを有するかもしれない。
【００５６】
図３Ａ、３Ｂ及び３Ｃのディスプレイを用いたインタラクティブ取引は、図２Ａ及び２Ｂに関して説明されるように実現可能である。さらに、図３Ａ、３Ｂ及び３Ｃのインタラクティブディスプレイは、好ましくは、注文の入力及びキャンセルを実現するフィールド及びキーを含む。例えば、サイズキー３０５は、予めプログラムされたサイズ量を利用可能にすることによって、注文入力を実現するのに利用可能である。予めプログラムされたサイズが選択されると、それは、ユーザのデフォルトサイズに設定されてもよく、フィールド３４４及び／又は３４５に表示されてもよい。ユーザは、アップ／ダウン矢印キー３４６及び３４７を用いてビッド／買い及びアスク／売り注文のそれぞれに対してデフォルトサイズを変更するかもしれない。
【００５７】
あるいは、ユーザは、フィールド３０６に命令をタイプし、アップ／ダウン矢印キー３０８を用いてそれらを変更し、又はキー３３６を用いてそれらをクリアすることによって、注文を入力することを選択するようにしてもよい。キャンセルキー３０４は、アクティブ注文をキャンセルすることを実現するのに利用可能である。注文タイプは、指値注文キー３２２、成行き注文キー３２４及びストップオーダーキー３２６を用いて選択されるようにしてもよい。さらに、キー３２８を用いて、価格上昇レベルが選択されてもよい。価格上昇は、参照することによりその全体がここに含まれる、２００２年６月１１日に出願された同時係属中の同一譲受人による米国特許出願第１０／１７１，００９号、２００４年４月１６日に出願された米国特許出願第１０／８２６，７７９号及び２００４年９月２８日に出願された米国仮特許出願第６０・６１３，８３０号に記載されている。
【００５８】
図３のフィールド３１１は、取引されている商品又はアイテムのタイプ、ユーザ及び／又は日時などの他の適切な情報を特定する情報を含む英数字や他の文字などを表示するかもしれない。フィールド３１２及び３１４は、同じ日に取引されるアイテムであるカラム３３０及び３４０のビッド／アスクが示される最も低い価格と最も高い価格とを表示するかもしれない。フィールド３１６は、同一アイテムに対する市場が前日の終値を表示するかもしれない。フィールド３４８は、当該アイテムが取引された直近の価格を表示し、フィールド３４２は、取引された直近のサイズを表示するかもしれない。フィールド３４９は、取引されたアイテムに関するユーザのネットボリュームポジションを表示するかもしれない。フィールド３１８は、価格のネットの変化、すなわち、フィールド３４８に表示されたアイテムが取引された直近の価格と、フィールド３１６に表示された前日の当該アイテムの終値との差を表示するかもしれない。
【００５９】
図３Ｂのインタラクティブディスプレイ３０１は、ある価格に対するビッドがマッチする以降の時点における図３Ａの市場を示す。例えば、ユーザは、セル３８０に示されるベストビッド価格９９．０４＋により５サイズを売却する注文を入力したことを決定したかもしれない。この状況では、セル３７５に前に示された３のサイズが売却され、カラム３２０のセル３８５が、９９．０４＋の同じ価格によりアスクされた２のさらなるサイズにより占有される。セル３９０は、購入されたサイズ、すなわち、３により占有され、ワード“ＨＩＴ”を表示する指標もまた当該セルに表示される。ワード“ＨＩＴ”を表示する指標は、点滅する指標、強度を変更する指標又は他の何れか適切な視覚的指標であってもよい。フィールド３４８に表示される価格は、ユーザが取引した直近の価格、本ケースでは、９９．０５（図３Ａを参照）９９．０４＋（図３Ｂを参照）に変化したと示される直近の価格に変化するかもしれない。フィールド３４２に表示されるサイズは、ユーザにより取引された直近サイズ、本ケースでは、１０（図３Ａを参照）から３（図３Ｂを参照）に変化したと示される直近サイズに変化するかもしれない。フィールド３１８に表示される価格のネットの変化は、−１．０８＋（図３Ａに示されるような９９．０５と１００．１３＋との差）から、−１．０９（図３Ｂに示されるような９９．０４＋と１００．１３＋との差）に変化するかもしれない。フィールド３４９に表示されるサイズは、取引されるアイテムに関するユーザの新たなネットボリュームポジション、本ケースでは、２９（図３Ａを参照）から３２（図３Ｂを参照）までのショートポジションからヒットされたサイズだけ増加するよう示されるユーザの新たなネットボリュームポジションを表示するよう変更されるかもしれない。
【００６０】
図３Ｃのインタラクティブディスプレイ３０２は、特に上述した市場状態の一例となる変動に応答して場内市場の表示の変化に対するネットの効果を示す以降の時点における図３Ａ及び３Ｂの市場を示す。インタラクティブディスプレイ３０２は、新たなベストアスク価格９９．０４＋により占有されるセル３９０と、占有解除されたセル３７５及び３８０とを示す。ベストビッド、すなわち、９９．０４＋として前に表示された価格が、市場状態の変化に応答してセル３８０からセル３９０までポジションを変動したことに留意すべきである。従って、ビッド価格カラム３３０とアスク価格カラム３４０の両方が変動し、これにより、場内市場のサイズ及びディスプレイにおけるそれらのポジションと共に、それに係る代表的な価格が、市場状態の変動に応答して変動した。新たな場内市場の表示は、新たにハイライトされたセルによって示されるかもしれない。価格カラム３３０と３４０の双方が、場内市場の変動に従って共に市場状態の変動に基づき変動するという点で動的である。
【００６１】
システムは、それのポジションが、インタラクティブディスプレイが起動されると、それのポジションがインタラクティブディスプレイのエリア３９８の実質的に中央となるように、場内市場を表示するよう調整されるかもしれない。例えば、図３Ａを参照されたい。市場状態が変動するに従って、場内市場のポジションは上下に移動するかもしれない。例えば、図３Ｃを参照されたい。システムは、市場状態が変化するに従って、場内市場のポジションを自動的に再び中央にするよう調整されるかもしれない。例えば、システムは、エリア３９８から離れる場内市場のある数の移動の後、場内市場の垂直ポジションを再び中央にするよう構成されてもよい。システムはさらに、又は代わりに、ベストビッド又はベストアスク価格がもはやディスプレイの閲覧可能部分に留まらなくなると、場内市場のポジションを再び中央にするよう構成されてもよい。システムはさらに、又はその代わりに、ある数の取引が完了した後、場内市場のポジションを定期的に再び中央にするよう構成されるかもしれない。あるいは、ユーザは、場内市場のポジションを再び中央にするようにするため、エリア３９８をクリックするなど、特定アクションをとるようにしてもよい。場内市場のポジションは、任意の時点に又は他の何れか適切な理由により再び中央にされてもよい。
【００６２】
あるいは、ユーザは、当該ユーザが取引しようとする所望の価格を表示するセルをクリックすることによって取引するようにしてもよい。本発明のいくつかの実施例では、１回のクリックは、表示されている価格及びサイズによる取引を起動するかもしれない。本発明の他の実施例では、ダブルクリックが取引を起動するかもしれない。後者の実施例では、１回のクリックは、オーバレイウィンドウ、ポップアップメニュー、ツールバー又は同様の若しくは異なるディスプレイ又はインタフェースを表示させるかもしれない。これらの状況では、第１クリックに続いて、マウスポインタは、取引を確認するため、デフォルト選択を表示するボタンにシフトするかもしれない。
【００６３】
本発明のいくつかの実施例では、マウスポインタは、第１クリックに続く取引を確認するため、ワード「イエス」などを表示するボタンにシフトするかもしれない。
【００６４】
本発明の他の実施例では、ユーザによる最初のクリックなど、注文入力処理における第１の又は以降のステップは、図７Ａのインタラクティブディスプレイ７００に示されるような選択された価格及びサイズ（又はデフォルトサイズ）を示す他のディスプレイを生じさせるかもしれない。例えば、セル７１２又はカラム７１０及び７３０における同一行に沿った何れかをクリックすることによって、ディスプレイウィンドウ７６０が表示され、マウスポインタがボタン７６６にシフトされるかもしれない。ディスプレイウィンドウ７６０は、例えば、１００．２３＋などのセル７１２に反映される価格を、１９などのユーザにより入力されたサイズ又はユーザのビッド嗜好に係るデフォルトサイズと共に表示するかもしれない。ユーザは、ディスプレイウィンドウ７６０を利用して、選択された価格及びサイズ並びにそれに対する任意の調整を表示可能なボタン７６６をクリックすることによって、ビッドを確認する前にアップ／ダウン矢印キー７６２又はボタン７６６を利用することによって選択された価格及び／又はサイズを調整するようにしてもよい。ダブルクリックは、ディスプレイウィンドウ７６０を最初のクリックにより表示させ、注文を第２のクリックにより入力させることによって、ユーザのデフォルトサイズに対するセル７１２に表示されるか価格によるビッドとして実質的に機能するかもしれない。
【００６５】
ユーザは、特定の注文を確認する前に、ユーザが所望するだけ多くのディスプレイウィンドウを表示させるかもしれない。例えば、ディスプレイウィンドウ７６０が表示されている間、ユーザは、ディスプレイウィンドウ７７０を表示させ、マウスポインタをボタン７７６にシフトさせるため、カラム７４０及び７２０の同一行に沿ってセル７１４又は何れかをクリックするようにしてもよい。ディスプレイウィンドウ７７０は、セル７１４に反映される価格、例えば、１００．２７＋などを、ユーザにより入力された２８などのサイズ又はユーザのアスク嗜好に係るデフォルトサイズと共に表示するようにしてもよい。ユーザは、ディスプレイウィンドウ７７０を利用して、選択された価格及びサイズ並びにそれに対する任意の調整を表示可能なボタン７７６をクリックすることによってアスクを確認する前に、アップ／ダウン矢印キー７７２又はボタン７７４を用いることによって選択された価格及び／又はサイズを調整することができる。ユーザは、前に準備された注文を入力するため、前にオープンされたディスプレイウィンドウに戻ってもよく、又は例えば、フィールド７６９／７７９をクリックすることによって、ボタン７６８／７７８をクリックすることによって、又は他の何れか適切な方法によって、ディスプレイウィンドウをクローズする注文を単にキャンセルしてもよい。
【００６６】
図７Ｂは、ユーザによる最初のクリックなど注文入力処理における第１の又は以降のステップに応答して表示可能な他のディスプレイウィンドウを示す。ディスプレイウィンドウ７８０は、ユーザにより選択可能な各種サイズオプションと共に選択された価格を表示するようにしてもよい。ユーザは、ディスプレイウィンドウ７８０を用いて、サイズボタン７８４の１つをクリックすることによって、注文確認前にアップ／ダウン矢印キー７８２を用いることによって選択された価格を調整するようにしてもよい。ディスプレイウィンドウ７８０は、選択された場合、サイズボタン７８４がクリックされると、ディスプレイをクローズするＣＯＡ（Ｃｌｏｓｅ−ｏｎ−Ａｃｔｉｏｎ）フィールド７８８を有するかもしれない。そうでない場合、ＣＯＡフィールド７８８が選択されない場合、ディスプレイウィンドウ７８０は、サイズボタン７８４が注文を入力するためクリックされた後、オープンのままにされてもよく、すなわち、ユーザに表示されたままであってもよい。ユーザは、例えば、フィールド７８９をクリックすることによって、又は他の何れか適切な方法によって、ディスプレイウィンドウをクローズすることによって注文をキャンセルするようにしてもよい。
【００６７】
本発明のさらなる他の実施例では、第１のクリックは、他のディスプレイウィンドウを表示させるかもしれない。ディスプレイウィンドウは、相対的に透過であってもよいし、そうでなくてもよく、第２のクリックを介し注文を確認する前に、ユーザが選択可能な他のサイズセットを含むかもしれない。図８Ａ、８Ｂ、８Ｃ、図９並びに図１０Ａ及び１０Ｂにおいて、そのような実施例の具体例が示される。本発明の他の実施例では、ユーザは、選択された価格と共に、ダイアログボックス、ポップアップメニュー、ツールバー又はペインを表示させてもよく、又は選択された価格によりコマンドラインを占有するようにしてもよい。例えば、本発明のいくつかの実施例では、ユーザは、インタラクティブディスプレイにおいて所望のビッド又はアスク価格を示すセルにドラッグ及びドロップする他のサイズセットを含むペインを表示させるようにしてもよい。
【００６８】
図８Ａ及び８Ｂは、本発明のいくつかの実施例において利用可能なインタラクティブディスプレイを示す。図８Ａのインタラクティブディスプレイと共に、図８Ｂのインタラクティブディスプレイ８０１は、好ましくは、ビッドサイズカラム８１０と、アスクサイズカラム８２０と、ビッド価格カラム８３０と、アスク価格カラム８４０とを有するかもしれない。図８Ｂのインタラクティブディスプレイ８０１はさらに、取引アプリケーションの起動からユーザにより取引されたアイテムの合計サイズを示すためのビッドボリュームカラム８０６とアスクボリュームカラム８０８とを含むかもしれない。あるいは、取引されたアイテムの合計サイズは、すべてのユーザが規定されたユーザグループに属することによって、特定の企業によって、何れかが取引アプリケーションを利用することによってなど、取引システムを利用する市場において取引されるアイテムの合計サイズを有するようカスタマイズされてもよい。
【００６９】
図８Ａ及び８Ｂのインタラクティブディスプレイ８００及び８０１はまた、予めプログラムされた又は調整可能なサイズ量を利用可能にすることによって、注文入力を実現するようそれぞれサイズキー８５０及び８５１を有するようにしてもよい。インタラクティブディスプレイ８００及び８０１は、当該アイテムが取引された直近の価格及びサイズを表示可能なフィールド８７０と８７１を有するようにしてもよく、フィールド８９０及び８９１は、取引アプリケーションの起動からユーザにより取引された合計サイズを表示するものであってもよい。あるいは、取引される合計サイズは、すべてのユーザが規定されたユーザグループに属することによって、特定の企業によって、何れかが取引アプリケーションを利用することよってなど、取引システムを利用する市場において取引されるアイテムの合計サイズを含むようカスタマイズされてもよい。インタラクティブディスプレイ８００及び８０１はまた、アクティブな注文をキャンセルすることを実現するデリートキー８６０や８６１などの他の有用なフィールド及びキーを有するようにしてもよい。例えば、図８Ａはまた、取引されるアイテムに関するユーザのネットボリュームポジションを表示可能なフィールド８９５を有するようにしてもよい。
【００７０】
図８Ｂはまた、アスク価格カラム８４０からの価格３７３０．０の選択によりディスプレイウィンドウ８８０を表示するインタラクティブディスプレイ８０１を示す。ディスプレイウィンドウ８８０は、選択された価格を表示し、マウスポインタを移動することによってユーザが切り替え可能な何れのサイズの取引もしないオプションを含む各種サイズオプションを表示するようにしてもよい。図８Ｃは、図８Ａのアスク価格カラム８４０からの価格４４４２．０などの選択により表示可能なディスプレイウィンドウ８８１の他の実施例を示す。
【００７１】
図９は、価格ハンドルなしに「．１８」として表示されるアスク価格カラム９４０からの価格１０１．１８の選択によるディスプレイウィンドウ９１０を表示するインタラクティブディスプレイ９００を示す。当該価格が第１クリックを介し選択されると、マウスポインタは、ディスプレイウィンドウ９１０にシフトするかもしれない。より詳細には、マウスポインタは、サイズ１００を表示するボタンなど、ディスプレイウィンドウ９１０のリストされたサイズボタン９１３からのデフォルトサイズボタンなどの特定ボタンにシフトするかもしれない。ディスプレイウィンドウ９１０はまた、価格ハンドルを表示することによって、又は表示することなく選択された価格を表示するようにしてもよい。所望されるサイズボタンがクリックされると、当該注文が入力されるかもしれない。あるいは、ユーザは、図７Ａ及び７Ｂに示されるように、ロードボタン９１５をクリックすることによって、ディスプレイウィンドウを表示させるようにしてもよい。
【００７２】
図１０Ａ及び１０Ｂは、ユーザに表示可能な他のディスプレイウィンドウ１０６０及び１０７０をそれぞれ示す。インタラクティブディスプレイは、図９のビッド価格カラム９３０からの価格１０１．１６の選択により、図１０Ａのディスプレイウィンドウ１０６０を表示するようにしてもよい。最初のクリックを介し価格が選択されると、マウスポインタは、ディスプレイウィンドウ１０６０のリストされたサイズボタン１０６３からデフォルトサイズボタンにシフトするかもしれない。所望のサイズボタンがクリックされると、当該注文が入力されるかもしれない。ユーザは、取消ボタン１０６２をクリックすることによって、注文をキャンセルすることが可能である。あるいは、ユーザは、取引されるアイテムに関するユーザのネットボリュームポジションをバランスさせるのに必要とされるサイズに対応するサイズを取引するため、ネットアウトボタン１０６４をクリックするかもしれない。例えば、ユーザが２９のロングである場合、ネットアウトボタン１０６０のクリックは、２９のサイズの売りを実行させるであろう。ユーザがロングポジションを有しない場合、ディスプレイウィンドウ１０６０は、ユーザにネットアウトボタン１０６５を表示しないかもしれない。
【００７３】
同様に、インタラクティブディスプレイは、図９のアスク価格カラム９４０からの価格１０１．１８の選択により、図１０Ｂのディスプレイウィンドウを表示するようにしてもよい。最初のクリックを介し当該価格が選択されると、マウスポインタは、ディスプレイウィンドウ１０７０のリストされたサイズボタンからデフォルトサイズボタンにシフトするかもしれない。所望のサイズボタンがクリックされると、当該注文が入力されるかもしれない。ユーザは、取消ボタン１０７２をクリックすることによって当該注文をキャンセルすることができる。あるいは、ユーザは、取引されるアイテムに関するユーザのネットボリュームポジションをバランスさせるのに必要なサイズに対応するサイズを取引するため、ネットアウトボタン１０７５をクリックするようにしてもよい。例えば、ユーザが１２のショートである場合、ネットアウトボタン１０７５をクリックすることは、１２のサイズの買いを実行させるであろう。ユーザがショートポジションを有しない場合、ディスプレイウィンドウ１０７０は、ネットアウトボタン１０７５をユーザに表示しないかもしれない。
【００７４】
本発明の他の実施例では、インタラクティブディスプレイは、ユーザが取引されるアイテムに関してロング又はショートであるか否かに関係なく、ユーザのネットボリュームポジションをバランスさせるのに必要とされるサイズを取引する機会をユーザに提供するかもしれない。例えば、このような特徴は、特定の価格選択された後、又は適切なアクションがとられた後にユーザに表示されるディスプレイウィンドウの一部として、図１０Ａ及び１０Ｂのそれぞれに示されるものと同様のネットアウトボタンを介し、又は他の何れか適切な方法を介し実現されてもよい。
【００７５】
上述したように、ダブルクリックは、ディスプレイウィンドウを第１のクリックを介し表示させ、第２のクリックを介し注文を入力させることによって、ユーザのデフォルトサイズに対するディスプレイウィンドウ９１０、１０６０及び１０７０の何れかにより表示される価格により注文入力として機能するかもしれない。例えば、ディスプレイウィンドウ１０７０は、アスク価格カラム９４０からの価格１０１．１８の選択により表示されるかもしれない。第１クリックを介し当該価格が選択されると、マウスポインタは、ユーザの所定のデフォルトサイズ、図９のサイズキー９９０をユーザが使用することによって前に入力されたサイズ、又は図１０Ｂのディスプレイウィンドウ１０７０の対応するサイズカラムに表示されるサイズをリストしたボタンにシフトするかもしれない。その後、第２のクリックは、当該価格による当該サイズの注文を入力するかもしれない。
【００７６】
１回のクリックは、可能であって適切であるときは常に、ダブルクリックの代わりとして機能するかもしれず、これにより、ダウンクリックは第１クリックと同じ機能を実行し、リリース又はアップクリックが第２クリックと同じ機能を実行可能となることに留意すべきである。例えば、図９のアスク価格カラム９４０内の適切なセル上のダウンクリックは、ディスプレイウィンドウ９１０を表示させ、マウスポインタをデフォルトサイズボタンにシフトさせるかもしれない。ユーザは、他のサイズを選択可能であり、又はマウスポインタを移動させることによって、又はマウスホイールを用いてディスプレイウィンドウをスクロールアップ又はダウンさせることによってディスプレイウィンドウを表示し、マウスボタンをリリースすることによって注文を入力するようにしてもよい。ユーザは、マウスポインタをディスプレイウィンドウ９１０から離し、マウスボタンをリリースすることによってキャンセルすることを選択してもよい。
【００７７】
図１１Ａ、１１Ｂ及び１１Ｃは、本発明のいくつかの実施例による注文入力処理の一例を示す。ベストビッド価格は、９９．２４＋であってもよく、なぜなら、それはあるサイズがビッドされる最も高い価格であるためである。同様に、ベストアスク価格は、９９．２５６であるかもしれない。場内市場の価格は、そのようなレベルでのサイズのビッド又はアスクがなくても、表示可能である。図１１Ａに示されるように、ユーザは、ポインティング装置を用いて、価格９９．２５２を表示するビッド価格カラム１１３０におけるセル１１８０の位置にポインタ１１１を移動させ、左クリックボタンを用いてセル１１８０をダウンクリックするかもしれない。当該アクションに応答して、選択された価格を示すディスプレイウィンドウ１１６０が表示され、図１１Ｂに示されるように、ユーザにより選択され、フィールド１１５０に示されるデフォルトビッドサイズを表示するボタン１１６１にシフトする。ユーザがサイズを変更しないと決定した場合、ユーザは、ポインティング装置の左クリックボタンをリリースし、これにより、９９．２５２の価格の１のサイズのビッドする注文を入力する。図１１Ｃに示されるように、ビッドサイズカラム１１１０のセル１１７５が、その後に入力されたビッドのサイズを反映するよう占有され、アスクサイズカラム１１４０のセル１１９０及び１１９５が占有解除される。なぜなら、それらはもはや場内市場の価格レベルを反映するものでなく、新たなベストビッド９９．２５２より低いためである。
【００７８】
本発明のさらなる他の実施例では、インタラクティブディスプレイの内外の何れかをクリックすることによって、ダイアログボックスなどの取引インタフェースが表示されるかもしれない。取引インタフェースは、デフォルト価格及びサイズの値を含むかもしれず、何れの位置でクリックが行われたかに応じて、ビッド、アスク、買い又は売り注文を入力するための複数ボタンの１つにシフトするかもしれない。ユーザは、何れのボタンがシフトするためのものであるかカスタマイズすることが可能である。ユーザは、取引インタフェースを用いて、自分の注文を完全に変更するかもしれない。
【００７９】
ユーザがあるサイズに対するある価格による注文を入力すると、ユーザにより入力されたサイズは、図３Ａから３Ｃ及び７Ａなどに示される最左カラムなどのインタラクティブディスプレイなどの専用のカラムに表示されるかもしれない。あるいは、ユーザにより入力されるサイズは、図１２Ａから１２Ｄなどに示されるようなインタラクティブディスプレイの既存のカラム内の未使用スペースに表示されるかもしれない。
【００８０】
図１２Ａは、所与の価格におけるユーザのサイズのシェア、すなわち、ユーザにより入力されるサイズが、対応する価格と同一の行に合って、それに隣接するビッド又はアスク価格カラム１２３０及び１２４０内のセルに表示されるインタラクティブディスプレイ１２００を示す。従って、カラム１２１０と１２２０は各価格レベルにおいて利用可能なビッド及びアスクの合計サイズを表示可能であるが、カラム１２４０と１２３０に価格を表示しないセルは、それぞれ当該サイズのユーザのシェアを表示するかもしれない。
【００８１】
他方、図１２Ｂは、所与の価格におけるユーザのサイズシェアが、ビッド又はアスク価格カラム１２３０及び１２４０内の対応する価格と同じセルに表示されるインタラクティブディスプレイ１２０１を示す。対応するユーザサイズが存在する各価格セルは、価格を表示するセルと、ビッド価格カラム１２３０のセルの一部に示されるようなユーザのサイズシェアを表示するセルの２つのセルに分割されるかもしれない。あるいは、価格とユーザのサイズシェアの両方が、アスク価格カラム１２４０のセルの一部に示されるように、価格セルに表示されるようにしてもよい。従って、カラム１２１０と１２２０が、各価格レベルにおいて利用可能なビッド及びアスクの合計サイズを表示可能であるが、カラム１２３０及び１２４０において対応する価格を表示するセルは、それぞれ当該サイズのユーザのシェアを表示可能である。例えば、セル１２８０は、ユーザが１０１．１７の価格によりセル１２０２に示される１０３のうちの６つに対するビッドを入力したことを示している。
【００８２】
図１２Ｃは、価格ハンドルがサイズのユーザのシェアと共に表示されるセル１２８０の他の図を示す。本例では、セル１２８２は、ユーザが１０１．１７の価格における６つに対するビッドを入力したことを示す。金融顧客などのユーザに対する表示画面の物理エリアは、大量の重要情報が顧客に通信され、顧客への表示の際、ときには移動又は変更されるべきであるため、価値の高いものである。従って、１つのセルに複数のデータ要素を表示することは、効率的な表示スペースの利用を介しユーザへの情報の効率的な配信を実現するかもしれない。
【００８３】
従って、本発明の他の実施例では、図１２Ｄは、６などのサイズのユーザのシェアと共に、１０３などの合計サイズを同一セル１２８４に表示するさらなる他の方法を示す。本例では、セル１２８４は、ユーザが１０１．１７の価格において１０３のうち６つに対するビッドを入力したことを示す。従って、本実施例は、別々のビッド及びアスクサイズカラムに対する要求を排除し、これにより、同一情報をユーザに伝えるのに必要とされる合計の軸の個数を低減する。本発明のいくつかの実施例では、図１２Ａ及び１２Ｂのボリュームカラム１２５０などのさらなるカラムが、取引アプリケーションの起動からユーザにより各価格レベルにおいて取引されたアイテムの合計サイズを示すのに設けられてもよい。あるいは、取引されたアイテムの合計サイズは、規定されたユーザグループに関係するすべてのユーザによって、ある企業によって、取引アプリケーションを利用する何れかの者によってなど、取引システムを利用する市場において取引されるアイテムの合計サイズを含むようカスタマイズされるかもしれない。また、図４、図５Ａ及び５Ｂ、図６Ａ〜６Ｄ並びに図７Ａのそれぞれにおける最右カラムなどを参照されたい。このようなカラムは、サイズカラムの削除によって節約される物理スペースの一部を利用し、ユーザに付加的情報を提供するため、表示されるかもしれない。あるいは、このような２つのカラムは、購入されるアイテムと売却されるアイテムの合計サイズを区別するのに表示されるかもしれない。
【００８４】
本発明のさらなる他の実施例では、完了した取引の合計サイズ又は処理中の注文のサイズが、図１２Ｄに示されるように、対応するビッド又はアスク価格と同じセルのビッド又はアスクサイズと共に表示されてもよい。
【００８５】
図１３は、同一情報をユーザに伝えるためのさらなる軸を含まず、その代わりにボリュームカラムを表示する他のインタラクティブディスプレイ１３００を示す。より詳細には、インタラクティブディスプレイ１３００は、好ましくは、取引アプリケーションの起動からの各価格レベルにおいてユーザにより取引されたアイテムの合計サイズを示すため、又はサイズのユーザのシェアを示すため、ボリュームカラム１３５０に加えてビッド価格カラム１３３０とアスク価格カラム１３４０お有する。取引されるアイテムの合計サイズは、規定されるユーザグループに関係するすべてのユーザによって、ある企業によって、取引アプリケーションを利用する何れかの者などによって、取引システムを利用する市場において取引されるアイテムの合計サイズを含むようカスタマイズされるようにしてもよい。インタラクティブディスプレイ１３００は、好ましくは、他の図において見ることができるサイズカラムを１つのサイズカラム１３１５に合成する。サイズカラム１３１５は、ビッド価格カラム１３３０の占有されているセルと同じ行にあるセルにビッドサイズを表示するようにしてもよい。同様に、カラム１３１５は、アスク価格カラム１３４０の占有されているセルと同じ行にあるセルにアスクサイズを表示するようにしてもよい。
【００８６】
上記説明で参照されたように、ユーザインタフェースの各特徴をカスタマイズする際、ユーザにより選択されるオプションは、ユーザのワークステーション（図１のワークステーション１１０など）又は中央サーバ（図１のサーバ１２０など）上の１以上のコンフィギュレーションファイルに格納されてもよい。取引アプリケーションは、特定のオプションがコンフィギュレーションファイルに保存されるべきかユーザに促すかもしれない。取引アプリケーションは、以前にカスタマイズされたインタフェースが同一の又は異なるユーザによって以降に使用可能となるように、このようなオプションを複数のファイルに自動的に保存するようにしてもよい。このようなファイルは、数日後に未使用となる場合、ユーザ又は取引アプリケーションによって破棄されてもよい。あるいは、そのようなファイルは、他のユーザと共有され、又はトレーディング企業によってそれのユーザに配信される企業用コンフィギュレーションファイルとして格納されてもよい。取引アプリケーションの始動後の任意の時点において、ユーザは、このようなコンフィギュレーションファイルを選択又はダウンロードしてもよく、これにより、ユーザの取引インタフェースがカスタマイズされる。あるいは、取引アプリケーションは、例えば、トレーディング企業などによって設定可能なデフォルトオプションを含むコンフィギュレーションファイルをロードするようにしてもよい。
【００８７】
上述した取引方法又はその変形は、ここで説明又は図示されたインタラクティブディスプレイと共に、又はこれらのディスプレイに対する変形と共に実現可能である。例えば、ユーザは、カラム１３３０と１３４０から所望の価格をそれぞれ表示するセルをクリックすることによって、ビッド及びアスク注文を入力可能である。ユーザは、カラム１３１５のセルをクリックする際に、ディスプレイウィンドウ、ダイアログボックス、ポップアップメニュー、ツールバー、ペイン、コマンドライン、又は他の何れか適切な取引インタフェースを呼び出すかもしれない。ユーザは、このようなインタフェースを用いて、自らの買い又は売り注文を入力するようにしてもよい。
【００８８】
本発明のいくつかの実施例では、ユーザ間でアイテムを取引するインタラクティブ電子取引システムは、第１ユーザが選択価格においてアイテムに対するビッド、アスク、買い又は売り注文を入力することを可能にする１以上のプログラムされたコンピュータを含むかもしれない。いくつかの実施例では、システムは、選択価格によりアイテムを取引するため、第２ユーザにより入力されたビッド、アスク、買い又は売り注文を受け付けるかもしれない。いくつかの実施例では、システムは、ビッド、アスク、買い又は売り注文に従って取引を実行するようにしてもよい。システムは、１以上のユーザが選択価格によりさらなるサイズを取引することを可能にするかもしれない。いくつかの実施例では、システムは、好ましくは、選択価格以外の価格により取引するため、ビッド、アスク、買い又は売り注文を入力するユーザをキュー処理するであろう。本発明のいくつかの実施例では、システムは、キューされたビッド、アスク、買い又は売り注文の価格よりも悪くない価格によるキューされたビッド、アスク、買い又は売り注文の少なくとも一部の完了を保証するかもしれない。いくつかの実施例では、システムは、好ましくは、ある期間におけるキューされたビッド、アスク、買い又は売り注文の価格より悪くない価格によるキューされたビッド、アスク、買い又は売り注文と反対の注文を保持するであろう。いくつかの実施例では、システムは、当該期間中、保持されている反対注文の価格より良好な価格によりシステムにおける反対注文の利用可能性を決定するかもしれない。システムは、より良好な価格による利用可能な反対注文を決定すると、キューされたビッド、アスク、買い又は売り注文を利用可能なより良好な価格とマッチングするかもしれない。より良好な価格による利用可能な反対注文がないと決定されると、システムは、キューされているビッド、アスク、買い又は売り注文を保持されている反対注文とマッチングするかもしれない。
【００８９】
システムは、キューされているユーザに、保持されている反対注文の価格、キューされているビッド、アスク、買い又は売り注文の少なくとも一部の完了確認、及び／又は保証されている完了のサイズを含みうるメッセージを表示することによって、完了を保証するかもしれない。
【００９０】
当業者は、本発明がここに記載された以外の実施例により実現可能であるということを認識すべきである。例えば、説明又は図示されたインタラクティブディスプレイの各部分のサイズ、形状、構成、カラー及びラベルは、単なる説明のために示された具体例に過ぎないということが理解されるべきである。これらの部分の上述した特徴の何れか又はすべての改良は、本発明の範囲内であるということは理解されるであろう。ここに記載又は図示された実施例は、単一の静的な価格軸、二重の動的な価格軸又は他の何れか適当な表示を利用する取引インタフェースに適用可能である。
【００９１】
他の例として、ここに記載される取引アプリケーションは、本発明の特徴を実現するよう構成される何れか適切なソフトウェア、ハードウェア又はその両方のであるかもしれないということは理解されるであろう。取引アプリケーションは、中央位置（図１のサーバ１２０などの中央サーバなど）に配置され、そのインスタンスは、それに接続されるワークステーション（図１のワークステーション１０１など）に格納されてもよい。他の適切なアプローチでは、取引アプリケーションは、異なる位置に配置されてもよい（図１のコンピュータネットワーク１０３などのネットワークなど）。
【００９２】
さらに、説明及び図示されたインタラクティブディスプレイは、オークション取引システム、インタラクティブマッチングシステム、自動化マッチングシステム、価格改良システム、ＦＩＦＯ（Ｆｉｒｓｔ  Ｉｎ  Ｆｉｒｓｔ  Ｏｕｔ）システム、ＲＦＱ（Ｒｅｑｕｅｓｔ  ｆｏｒ  Ｑｕｏｔｅ）システムなどの何れかのタイプの取引アプリケーション、システム又は交換により利用可能であり、何れかのタイプのアイテムの取引に適用可能である。これは、ユーザが取引するための排他的権利を付与されている、又はされていないケース、ユーザが取引及び／又はある程度の参加をスタート又は加入している間に、ユーザの状態又は市場の役割に基づき取引のシェアをユーザに提供する、又はしないケース、ユーザに既存の合意又は配分アルゴリズム又はそれらの何れかの組み合わせに基づき、プロラタ（ｐｒｏ−ｒａｔａ）ベースによる取引のシェアが提供されている、又はされていないケースを含む。
【００９３】
上記説明は、本発明の原理のたんなる例示であって、本発明の範囲及び趣旨から逸脱することなく、当業者により各種改良が可能であるということが理解されるであろう。本発明は、以下の請求項によってのみ制限される。
【図面の簡単な説明】
【００９４】
【図１】図１は、本発明の実施例の処理及び機能を実現するのに利用可能な一例となるシステムのブロック図である。
【図２Ａ】図２Ａは、本発明の実施例によるユーザに表示可能な一例となるインタラクティブディスプレイの図である。
【図２Ｂ】図２Ｂは、本発明の実施例によるユーザに表示可能な一例となるインタラクティブディスプレイの図である。
【図３Ａ】図３Ａは、本発明の実施例によるユーザに表示可能な一例となるインタラクティブディスプレイの他の実施例の図である。
【図３Ｂ】図３Ｂは、本発明の実施例によるユーザに表示可能な一例となるインタラクティブディスプレイの他の実施例の図である。
【図３Ｃ】図３Ｃは、本発明の実施例によるユーザに表示可能な一例となるインタラクティブディスプレイの他の実施例の図である。
【図４】図４は、本発明の実施例によるユーザに表示可能な一例となるインタラクティブディスプレイの他の実施例の図である。
【図５Ａ】図５Ａは、本発明の実施例によるユーザに表示可能な一例となるインタラクティブディスプレイのさらなる他の実施例の図である。
【図５Ｂ】図５Ｂは、本発明の実施例によるユーザに表示可能な一例となるインタラクティブディスプレイのさらなる他の実施例の図である。
【図６Ａ】図６Ａは、本発明の実施例によるユーザに表示可能な一例となるインタラクティブディスプレイのさらなる他の実施例の図である。
【図６Ｂ】図６Ｂは、本発明の実施例によるユーザに表示可能な一例となるインタラクティブディスプレイのさらなる他の実施例の図である。
【図６Ｃ】図６Ｃは、本発明の実施例によるユーザに表示可能な一例となるインタラクティブディスプレイのさらなる他の実施例の図である。
【図６Ｄ】図６Ｄは、本発明の実施例によるユーザに表示可能な一例となるインタラクティブディスプレイのさらなる他の実施例の図である。
【図７Ａ】図７Ａは、本発明の実施例によるユーザに表示可能な一例となるインタラクティブディスプレイのさらなる他の実施例と一例となるディスプレイウィンドウの図である。
【図７Ｂ】図７Ｂは、本発明の実施例によるユーザに表示可能な一例となるディスプレイウィンドウの他の実施例の図である。
【図８Ａ】図８Ａは、本発明の実施例によるユーザに表示可能な一例となるインタラクティブディスプレイのさらなる他の実施例の図である。
【図８Ｂ】図８Ｂは、本発明の実施例によるユーザに表示可能な一例となるインタラクティブディスプレイのさらなる他の実施例と一例となるディスプレイウィンドウの図である。
【図８Ｃ】図８Ｃは、本発明の実施例によるユーザに表示可能な一例となるディスプレイウィンドウのさらなる他の実施例の図である。
【図９】図９は、本発明の実施例によるユーザに表示可能な一例となるインタラクティブディスプレイのさらなる他の実施例と一例となるディスプレイウィンドウの図である。
【図１０Ａ】図１０Ａは、本発明の実施例によるユーザに表示可能な一例となるディスプレイウィンドウのさらなる他の実施例の図である。
【図１０Ｂ】図１０Ｂは、本発明の実施例によるユーザに表示可能な一例となるディスプレイウィンドウのさらなる他の実施例の図である。
【図１１Ａ】図１１Ａは、本発明の実施例によるユーザに表示可能な一例となるインタラクティブディスプレイのさらなる他の実施例と一例となるディスプレイウィンドウの図である。
【図１１Ｂ】図１１Ｂは、本発明の実施例によるユーザに表示可能な一例となるインタラクティブディスプレイのさらなる他の実施例と一例となるディスプレイウィンドウの図である。
【図１１Ｃ】図１１Ｃは、本発明の実施例によるユーザに表示可能な一例となるインタラクティブディスプレイのさらなる他の実施例と一例となるディスプレイウィンドウの図である。
【図１２Ａ】図１２Ａは、本発明の実施例によるユーザに表示可能な一例となるインタラクティブディスプレイのさらなる他の実施例の図である。
【図１２Ｂ】図１２Ｂは、本発明の実施例によるユーザに表示可能な一例となるインタラクティブディスプレイのさらなる他の実施例の図である。
【図１２Ｃ】図１２Ｃは、本発明の実施例によるユーザに表示可能な一例となるインタラクティブディスプレイの一例となるセルの他の実施例の図である。
【図１２Ｄ】図１２Ｄは、本発明の実施例によるユーザに表示可能な一例となるインタラクティブディスプレイの一例となるセルの他の実施例の図である。
【図１３】図１３は、本発明の実施例によるユーザに表示可能な一例となるインタラクティブディスプレイのさらなる他の実施例の図である。
【図１】
2008508615.tif 000003
【図２Ａ】
2008508615.tif 000004
【図２Ｂ】
2008508615.tif 000005
【図３Ａ】
2008508615.tif 000006
【図３Ｂ】
2008508615.tif 000007
【図３Ｃ】
2008508615.tif 000008
【図４】
2008508615.tif 000009
【図５Ａ】
2008508615.tif 000010
【図５Ｂ】
2008508615.tif 000011
【図６Ａ】
2008508615.tif 000012
【図６Ｂ】
2008508615.tif 000013
【図６Ｃ】
2008508615.tif 000014
【図６Ｄ】
2008508615.tif 000015
【図７Ａ】
2008508615.tif 000016
【図７Ｂ】
2008508615.tif 000017
【図８Ａ】
2008508615.tif 000018
【図８Ｂ】
2008508615.tif 000019
【図８Ｃ】
2008508615.tif 000020
【図９】
2008508615.tif 000021
【図１０Ａ】
2008508615.tif 000022
【図１０Ｂ】
2008508615.tif 000023
【図１１ａ】
2008508615.tif 000024
【図１１ｂ】
2008508615.tif 000025
【図１１ｃ】
2008508615.tif 000026
【図１２Ａ】
2008508615.tif 000027
【図１２Ｂ】
2008508615.tif 000028
【図１２ｃ】
2008508615.tif 000029
【図１２ｄ】
2008508615.tif 000030
【図１３】
2008508615.tif 000031
【国際調査報告】
2008508615.tif 000032